(57)【要約】【課題】  マトリックス状に発光ダイオード４を配して構成されるデータ表示部２と発光ダイオード５を光源とする装飾表示部３とを備えて構成される表示器１において、該装飾表示部３の表示を変化させて看者の注意を惹くようにしたものを小型化する。【解決手段】  装飾表示部３に対向する表面板の裏面に、光源を縦横方向に回折する回折格子フィルム１０を配設し、回折された光源像が外から見えるようにした表示装置１において、光源となる発光ダイオード５を横向きにすると共に、該発光ダイオード５からの横向きの光を反射して表面板方向に向く縦向きにして回折格子フィルム１０に入光するようにして、回折した光源像５ｂが出現するものでありながら、表示装置１を肉薄にできるようにした。【選択図】        図２
2005084153.tif 000002
【特許請求の範囲】
【請求項１】
燈体が配置された表示部と、該表示部に対して必要な表示制御を実行できるよう設定された表示制御部と、前記燈体からの光を回折および／または拡散して光像を出現するための光像出現手段とを備えて構成される表示装置において、燈体は、光像出現手段に対し光軸方向が横向きとなるようにして設けられ、該横向きの光軸を光像出現手段に向けるため横向きの光軸を縦向きに変換する光軸変換手段が設けられていることを特徴とする表示装置。
【請求項２】
請求項１において、光像出現手段が光を回折するものである場合、該光回折手段は、光を回折する回折格子フィルムまたは回折格子板であることを特徴とする表示装置。
【請求項３】
請求項１において、光像出現手段が光を拡散するものである場合、該光拡散手段は、光を所定の分布および方向に拡散する光拡散フィルムまたは光回折格子板であることを特徴とする表示装置。
【請求項４】
請求項１において、光像出現手段が光の回折および拡散するものである場合、該光回折、拡散手段は、光を回折する回折格子フィルムまたは回折格子板と光を所定の分布および方向に拡散する光拡散フィルムまたは光回折格子板とを積層したものであることを特徴とする表示装置。
【請求項５】
請求項１、２、３または４において、光軸変換手段は、傾斜状に配された反射板であることを特徴とする表示装置。
【請求項６】
請求項１、２、３、４または５において、表示部は、データ表示をするデータ表示部と、装飾表示をする装飾表示部とを備え、回折および／または拡散された光像が出現する表示部は装飾表示部であることを特徴とする表示装置。
【請求項７】
請求項６において、装飾用燈体は一連状に隣接して複数設けられていることを特徴とする表示装置。
【請求項８】
請求項１、２、４、５、６または７において、光像出現手段を光の回折格子手段としたときに、燈体から光の回折格子手段までの光軸距離をＸ、前記燈体を光源とする光像の視認可能幅をＤ、該視認可能幅の一端から他端までの光像数をＮ個とした場合、隣接燈体間の距離Ｚを、
Ｚ＝Ｄ−ｎ（Ｄ／（Ｎ−１））
ただし、ｎは０を含む自然数
として隣接する発光ダイオードの光像同士を重ね合せたことを特徴とする表示装置。
【請求項９】
請求項１、２、４、５、６または７において、光像出現手段を光の回折格子フィルムまたは回折格子板としたときに、燈体から光の回折格子手段までの光軸距離をＸ、前記燈体を光源とする光像の視認可能幅をＤ、該視認可能幅の一端から他端までの光像数をＮ個とした場合、隣接燈体間の距離Ｚを、
Ｚ≠Ｄ−ｎ（Ｄ／（Ｎ−１））
ただし、ｎは０を含む自然数
として隣接する発光ダイオードの一方のものの光像のあいだに他方のものの光源像を位置させたことを特徴とする表示装置。
【請求項１０】
請求項９において、隣接燈体間の距離Ｚは、
Ｚ＝Ｄ−ｎ’（Ｄ／（２（Ｎ−１）））
ただし、ｎ’は奇数
であることを特徴とする表示装置。
【請求項１１】
請求項１乃至１０の何れか一つにおいて、燈体の光像出現手段側面とその反対側面の少なくとも一方に、燈体の光を反射して光軸変更手段に送るための反射手段を設けたことを特長とする表示装置。
【請求項１２】
請求項７乃至１１の何れか一つにおいて、装飾表示部はデータ表示部の周囲に直線部と折曲部とを備えて配されるものとし、直線部に光軸変更手段を備えた回折および／または拡散した光像が出現するものとし、折曲部は燈体の直接表示であることを特徴とする表示装置。
【発明の詳細な説明】
【技術分野】
【０００１】
本発明は、発光ダイオード等の燈体を使用し、立て看板、吊り看板等として屋内外に設置される表示装置の技術分野に属するものである。
【背景技術】
【０００２】
今日、発光ダイオード等の燈体を縦横マトリックス状に配設し、各種の文字や図柄等の各種データを表示する表示部を備えた表示装置が立て看板等として多用されている。そしてこのような表示装置は、従来、表示部の前面に透光性素材で形成された表面板を配設して構成されている。
ところが前記従来の表示装置において採用されている表面板は、単純な平面板が殆どで、あっても曇りガラス状かあるいは皺ガラス状に加工された板材を採用していた。このため、外部から表示器を見た場合に、各燈体は、該燈体が発光色の状態で点状に見える（曇りガラス状等の場合にはボカシが入った状態に見える）程度のものであった。
一方、特に看板のように看者の注意を惹起する機能が強く要求されるものでは、隣接する他の看板との差別化が強く要求され、そのためには、発光状態について周囲に立てられたものと異ならしめることが提唱されるが、従来の平面板だけによる表示ではどうしても注意喚起効果に限界がある。
そこで燈体から発せられる光の像を回折格子フィルターを介して回折して回折光像を作り、これによって一つの燈体が恰も縦横マトリックス状に複数あるように表示するようにしたものが提唱されている（特許文献1参照）。
【特許文献１】特開平９−２７４４５５号公報
【発明の開示】
【発明が解決しようとする課題】
【０００３】
ところが回折格子フィルターを用いて回折した光像を出現しようとした場合、燈体と回折格子フィルターとのあいだの距離が短いと充分に拡散した回折像を得ることができず、このため前記従来のものでは、燈体と回折格子フィルターとの距離を長くせざるを得ず、このようにすると、どうしても表示装置が厚くなってしまうという問題があり、ここに本発明の解決すべき課題がある。
【課題を解決するための手段】
【０００４】
本発明は、上記の如き実情に鑑みこれらの課題を解決することを目的として創作されたものであって、請求項１の発明は、燈体が配置された表示部と、該表示部に対して必要な表示制御を実行できるよう設定された表示制御部と、前記燈体からの光を回折および／または拡散して光像を出現するための光像出現手段とを備えて構成される表示装置において、燈体は、光像出現手段に対し光軸方向が横向きとなるようにして設けられ、該横向きの光軸を光像出現手段に向けるため横向きの光軸を縦向きに変換する光軸変換手段が設けられていることを特徴とする表示装置である。
そしてこのようにすることにより、光を回折および／または拡散した光像を出現できながら、燈体から光像出現手段までの距離を横向きの光軸によって補うことができ、その分、表示装置の厚さを薄くすることができる。
請求項２の発明は、請求項１において、光像出現手段が光の回折である場合、該光回折手段は、光を回折する回折格子フィルムまたは回折格子板であり、請求項３の発明は、請求項１において、光像出現手段が光の拡散である場合、該光拡散手段は、光を所定の分布および方向に拡散する光拡散フィルムまたは光回折格子板であり、請求項４の発明は、請求項１において、光像出現手段が光の回折および拡散である場合、該光回折、拡散手段は、光を回折する回折格子フィルムまたは回折格子板と光を所定の分布および方向に拡散する光拡散フィルムまたは光回折格子板とを積層したものであることを特徴とする表示装置とすることができ、このようにすることにより、光像出現手段を薄く構成できることになる。
請求項５の発明は、請求項１、２、３または４において、光軸変換手段は、傾斜状に配された反射板であることを特徴とする表示装置であり、このようにすることで、光軸変換手段を簡単に構成することができる。
請求項６の発明は、請求項１、２、３、４または５において、表示部は、データ表示をするデータ表示部と、装飾表示をする装飾表示部とを備え、回折および／または拡散された光像が出現する表示部は装飾表示部であることを特徴とする表示装置ものであり、このようにすることで、装飾表示部の注目惹起機能を大いに向上できる。
請求項７の発明は、請求項６において、装飾用燈体は一連状に隣接して複数設けられていることを特徴とする表示装置であり、このようにすることで、装飾表示部は一連状に連続する光源像が出現することになって注目惹起機能を大いに向上できる。
請求項８の発明は、請求項１、２、４、５、６または７において、光像出現手段を光の回折格子手段としたときに、燈体から光の回折格子手段までの光軸距離をＸ、前記燈体を光源とする光像の視認可能幅をＤ、該視認可能幅の一端から他端までの光像数をＮ個とした場合、隣接燈体間の距離Ｚを、
Ｚ＝Ｄ−ｎ（Ｄ／（Ｎ−１））
ただし、ｎは０を含む自然数
として隣接する発光ダイオードの光像同士を重ね合せたことを特徴とする表示装置であり、このようにすることで、光源像同士が重なり合うことになって視認される光源像の強度が強くなると共に等ピッチでの光源像が出現することになって注目惹起機能を大いに向上できる。
請求項９の発明は、請求項１、２、４、５、６または７において、光像出現手段を光の回折格子フィルムまたは回折格子板としたときに、燈体から光の回折格子手段までの光軸距離をＸ、前記燈体を光源とする光像の視認可能幅をＤ、該視認可能幅の一端から他端までの光像数をＮ個とした場合、隣接燈体間の距離Ｚを、
Ｚ≠Ｄ−ｎ（Ｄ／（Ｎ−１））
ただし、ｎは０を含む自然数
として隣接する発光ダイオードの一方のものの光像のあいだに他方のものの光源像を位置させたことを特徴とする表示装置であり、このようにすることで、一方の発光ダイオードの隣接する光源像のあいだに他方の発光ダイオードの光源像が入り込んだ状態の表示ができることになって光源像の数が増加し、注目惹起機能を大いに向上できる。
請求項１０の発明は、請求項９において、隣接燈体間の距離Ｚは、
Ｚ＝Ｄ−ｎ’（Ｄ／（２（Ｎ−１）））
ただし、ｎ’は奇数
であることを特徴とする表示装置であり、このようにすることで、一方の発光ダイオードの隣接する光源像の中間に他方の発光ダイオードの光源像が入り込むことになって光源像の数の増加が規則正しくなって、注目惹起機能を大いに向上できる。
請求項１１の発明は、請求項１乃至１０の何れか一つにおいて、燈体の光像出現手段側面とその反対側面の少なくとも一方に、燈体の光を反射して光軸変更手段に送るための反射手段を設けたことを特長とする表示装置であり、このようにすることで、燈体からの光の漏洩を少なくしてより明るい表示にできて注目惹起機能を大いに向上できる。
請求項１２の発明は、請求項７乃至１１の何れか一つにおいて、装飾表示部はデータ表示部の周囲に直線部と折曲部とを備えて配されるものとし、直線部に光軸変更手段を備えた回折および／または拡散した光像が出現するものとし、折曲部は燈体の直接表示であることを特徴とする表示装置であり、このようにすることで、装飾表示部のうち直線部に光軸変更手段を備えたものとして肉薄のもので回折光源像を出現できながら、折曲部については燈体による直接表示として交点処理の構造の簡略化を計ることができる。
【発明を実施するための最良の形態】
【０００５】
次ぎに、本発明の実施の形態について図面に基づいて説明する。図中、１は表示装置であって、該表示装置１は、縦一列に配設した三単位のデータ表示部２と、該データ表示部２の周囲に配した直線部３ａおよび折曲部（コーナー部）３ｂを有する装飾表示部３とを備えた長方形状をしていて、必要なデータ表示と装飾表示とができるようになっているが、データ表示部２の各一単位は、選択された任意の色（例えば、橙、赤、緑、青、白等の色）の発光をする発光ダイオード４をそれぞれ縦横マトリックス状（行列状）に１６個×１６個（全部で２５６ドット）づつ並べて形成したものとして設定されている。
【０００６】
また、装飾表示部３も前記任意の色を発光する発光ダイオード５を適宜採用することができるが、本実施の形態では、直線部３ａについては予め選択された発光ダイオード５を適宜間隔を存して配設してあり、また折曲部３については複数の発光ダイオード５ａが縦横マトリックス状に配されている。そして直線部３ａに配設の発光ダイオード５については、後述するように寸法設定をして配することもできる。そしてこれら発光ダイオード４、５、５ｃからの光の像（光源像）は、表示装置１の表面に配した平面状の表面板６を透過して外部に至り、これによって看者が見ることができるようになっている。尚、発光ダイオード４、５、５ｃの発光制御は装置１内に配設された制御部１ａによって実施されるようになっていることは従来通りである。
【０００７】
前記データ表示部２および折曲部３ｂの発光ダイオード４、５ｃは、表面板６と平行状に配した基板７に垂直状に植立されて設けられ、これによってデータ表示部用発光ダイオード４および装飾表示部の折曲部３ｂ用の発光ダイオード５ｃの光軸中心Ｘは表面板６方向を向いた縦向き状態となっていて、直接表示をするのに対し、装飾表示部３の直線部３ａに配した発光ダイオード５は、表面板６とは直交し、表示装置１の厚み方向に板面が向くように配した基板８に垂直状に植立されて設けられ、これによって直線部用発光ダイオード５の光軸中心Ｙは装飾部２側（装置内側）を向いた横向き状態となっていて、発光ダイオード５からの光軸方向が表面板６の板面に対して平行になっている。尚、直線部３ａの基板をデータ表示部２の基板７と平行状に配してもよく、この場合には、装飾用発光ダイオード５を、突出するリード線を曲げる等して横向きにすることができ、このように構成してもよいことは勿論である。また、発光ダイオードの横向き方向の角度については任意であるが、後述する反射板による反射角度との関係で、横向きの光軸中心Ｙが表面板６に対して直交する（直角となる）縦向きになるよう方向変換される設定にすることが好ましい。
【０００８】
９は反射板であって、本発明の光軸変換手段に相当するものであるが、反射板９は、前記装飾用発光ダイオード５の装置内側を向く横向きの光軸中心Ｙに対向する状態で４５度の傾斜角度で設けられていて、前記光軸中心Ｙが表面板６に対して直交する（直角になる）縦向きになるよう反射（方向変換）させるべく設けられている。反射板９の反射面は、例えば真空蒸着や研磨等によって鏡面処理が施されたもので高い反射効率を備えているものが好適である。そして装飾用発光ダイオード５から表面板６の裏面（後述する回折格子フィルムが取付けられる位置）までの距離Ａは、発光ダイオード５の発光点（光源）５ａから反射板９の裏面までの距離Ｂと該反射板９から表面板６の裏面までの距離Ｃの和（Ａ＝Ｂ＋Ｃ）になる設定となっている。
【０００９】
１０は表面板装飾部３の直線部３ａ対応部位の裏面に設けられた（貼付や挟持等により止着されている）回折格子フィルム（回折格子板であってもよい）であって、該フィルム１０は、光源からの光の像を縦横格子状に回折するもので、これによって表面側から見た場合に、光源５ａを中心として縦横９０度ピッチとなるマトリックス状の光像（光源像、回折格子像）５ｂが視認できるように設定されたものである。この回折格子フィルム１０は、例えば前記光源５ａから回折格子フィルム１０までの光軸中心の距離が前記Ａである場合、実質的に視認可能な光像５ｂが、図４に示すように縦横Ｄの幅（図４〜８では中心の光像５ｂを通る縦横一方のもののみを描いている）で視認することができ、このとき、例えば中央の光像５ｂを中心として縦横七個（Ｎ個）ずつ視認できるものであるとしたときに、外側の光像５ｂほど光の強度（輝度）は低下するが、これらの回折現象を考慮して前記発光ダイオード５の配設距離を次のように設定することができる。因みに、回折格子フィルム１０は、回折角度を４５度、６０度ピッチ等、適宜の回折角度に設定したものを採用することができる。
【００１０】
いま、発光ダイオード５から回折格子フィルム１０までの前記光軸中心の距離をＡとしたときに現れる光像５ｂについて、左側から５ｂ１、５ｂ２、・・・５ｂ７と番号付けをし、発光ダイオード５を図４〜８においては、判り易くするため左右に一列状に２個並べた場合を例にして説明するが、発光ダイオード５は縦あるいは横方向に１列状に並設したもの、ジグザグ状に配設したもの、２列状に配設したもの等、任意の配設をすることができる。
まず、図４に示すように、光軸中心Ｙが直線になるよう展開したものにして考えると、一つの発光ダイオード５から回折格子フィルム１０に至るまでの光軸距離をＡとしたときの実質視認可能な光像５ｂが出現する幅はＤであるから、発光ダイオード５の隣接間隔ＺをＤ（Ｚ＝Ｄ）とすると、隣接ダイオード５の左右端の光像５ｂ７と５ｂ１同士が重なり合った状態で連続する光源像が出現する。このときの光像５ｂのピッチはＤ／（７−１）＝Ｄ／６となる。そこで隣接発光ダイオード５同士の隣接間隔Ｚを、前記間隔Ｄに対し、Ｄ／６だけ近づくように設定（Ｚ＝Ｄ−Ｄ／６＝５Ｄ／６）すると、図５に示すように、光像５ｂ６と５ｂ１と、光像５ｂ７と５ｂ２とが互いに重なり合う状態の光源像が出現することになる。また図６に示すように、さらに隣接間隔ＺをＤ／６だけ近づける（Ｚ＝Ｄ−２Ｄ／６＝Ｄ／３）と、光像５ｂ５と５ｂ１、５ｂ６と５ｂ２、５ｂ７と５ｂ３とがそれぞれ重なり合った状態の光像５ｂが出現することになる。そしてこのように、隣接発光ダイオード同士の光像５ｂが互いに重なり合うよう出現する光像５ｂのピッチに合わせて発光ダイオード間の間隔Ｚを設定していくと、重なり合った光像５ｂでは、両光像５ｂの光の強度の和の光となって視認され、また光の強度は距離の２乗に反比例することを考慮すれば、図７に示すように光像５ｂ４と５ｂ１とが重なり合うよう設定することで、殆ど同じ強度状態の光像５ｂが一連状に連続する装飾表示が出現することになる（連続方向に直行する方向については、中央ほど光の強度は強い）。尚、図４、６では同じ大きさの光像５ｂが重なるため、便宜上、これらを上下に並列させて描いた。
【００１１】
これを一般式としてみたとき、一つの発光ダイオード５の回折格子像がＮ個視認できるものである場合、該光源像ピッチはＤ／（Ｎ−１）であり、そこで隣接する発光ダイオード５間の間隔（距離）Ｚについて、前記Ｄを基準とし、この基準距離Ｄに対して光源像ピッチであるＤ／（Ｎ−１）をｎピッチ相当分だけ離接させる、つまり
Ｚ＝Ｄ−ｎ（Ｄ／（Ｎ−１））
ただし、ｎは０を含む自然数
として発光ダイオード５の隣接間隔Ｚを設定すると、当ピッチ間隔の光像５ａが出現することになって不自然さのない整然とした表示になり、看者の注意を惹起することになる。
【００１２】
叙述の如く構成された本発明の実施の形態において、回折格子フィルム１０によって装飾用発光ダイオード５から発せられる光を回折し、縦横に光像５ａを出現させるものであるが、この場合の発光ダイオード５から回折格子フィルム１０までの光軸中心の距離Ａのうちの一部、つまり発光ダイオード５から反射板９に至るまでの距離Ｂが横向きとなって表示装置１の厚みに影響を与えないかたちで確保できることになり、この結果、一つの発光ダイオード５について広い範囲Ｄに回折した光像５ｂを出現できるものでありながら、表示装置１の厚さを薄いものにできてコンパクト化に寄与できることになる。
しかもこの光像５ｂは、広い幅Ｄで連続した状態のものにできるため、看者の注意を惹起する効果が高く、看板としての機能が大いに向上する。
【００１３】
さらにこのものにおいては、隣接する発光ダイオード５の光像５ｂ同士が重なり合うことになって光像５ｂの光の強度が増加して視認性が向上すると共に、光像５ｂが等ピッチ間隔で出現するため、違和感のない自然な装飾表示ができることになる。
しかも隣接する発光ダイオード５の発色光を変えた場合には、色の混合もできることになってさらなる装飾表示ができることになる。
【００１４】
そのうえこのものでは、装飾表示部３について、直線部３ａでは反射板９による光軸変更をしたものを回折格子フィルム１０によって肉薄でありながら広い範囲で回折光源像が出現するものとしながら、折曲部３ｂについては反射板９、回折格子フィルム１０のない発光ダイオード５ｃによる直接表示としたため、装飾表示部３に変化性を持たせることができるが、さらに折曲部３ｂに反射板９を設けようとしたときに、回折光源像が自然な状態で出現するようにするには、折曲部３ｂでの反射板の向きが複雑になってしまうが、このような配慮をする必要がなく、構造の簡略化が計れることになる。因みに、直線部３ａの一部に発光ダイオードによる直接表示部分を設けても良いことは勿論である。
【００１５】
なお、本発明は前記実施の形態に限定されないものであることは勿論であって、光像出現手段が光の回折格子手段である場合、前記実施の形態のように一連状に連続したものに限定されず、一つの発光ダイオード回折することもでき、また光源像同士が重なり合うことがないよう発光ダイオード同士を大きく離間させたものにも実施することができ、さらに発光ダイオードの発光色を異ならしたものについても実施することができる。そして発光色を異ならしめたものについて光源像が重なり合うように設定した場合、色の合成ができることになり、多色での装飾が可能となる。尚、発光色を異ならしめた場合、厳密にいえば色の回折角度（屈折角度）に対応した配置をしなければ光源像を重なり合わせることはできないが、光源から回折格子フィルム１０に至るまでの距離が短いこと、そして光源像自体、丸形状をしていて模様連続方向に幅があることもあって、実質上無視することができる。
【００１６】
さらにまた、燈体から回折格子手段までの光軸距離をＸ、前記燈体を光源とする光源像の視認可能幅をＤ、該視認可能幅の一端から他端までの光源像数をＮ個とした場合、隣接燈体間の距離Ｚを、
Ｚ≠Ｄ−ｎ（Ｄ／（Ｎ−１））
ただし、ｎは０を含む自然数
とすることができ、このようにすることで、一方の発光ダイオードの隣接する光源像のあいだに他方の発光ダイオードの光源像が入り込んだ状態の表示ができることになって視認できる光源像の数が増加し、注目惹起機能を大いに向上できる。この場合において、隣接燈体間の距離Ｚを、
Ｚ＝Ｄ−ｎ’（Ｄ／２（Ｎ−１））
ただし、ｎ’は奇数
として一般式が与えられ、この式に、前記の例を当てはめてＮ＝７とし、ｎ’＝７とすると、図８に示すように、一方の発光ダイオードの隣接する光源像間の中央位置に他方の発光ダイオードの光源像が入り込んだ状態の表示にすれば、光源像ピッチが１／２になって注意惹起効果がまた向上する。
【００１７】
さらにまた、図９に示すさらに他の実施の形態のように、発光ダイオード５の上下面（表面板６側面とその反対側面）の少なくとも一方（本実施の形態では両方）に第二の反射板１１を設けても良く、このようにしたときには、発光ダイオード５の光軸中心Ｙから大きく外れた光を反射して反射板９に導くことで、光の漏洩をなくし、反射板１１で反射された長い光路を経た光を回折格子フィルム１０に導くことができ、幅広い指向角度を有する発光ダイオードに有効で回折効果を高めることができる。
さらにまた、光軸変換手段としてはプリズムでも良く、また、図１０に示す更に他の実施の形態のように反射板１２を、発光ダイオードの隣接方向に長い蒲鉾状の凸面鏡にすることもできる。そしてこのようにしたときには、視認できる光源像の幅が広がることになって注意惹起効果がまた向上する。また、この場合には、図１０において明らかなように光軸中心Ｙに対して右側が広い幅で光源像が出現し、左側が狭い幅で光源像が出現することになって光源像の出現に変化性を持たせることができる。尚、このような光源像の出現に変化性を持たせるには、前記第一の実施の形態において採用した反射板９の角度を４５度以外の角度にするか、発光ダイオード５の横向き角度を表面板６に対して平行以外の角度にすれば実施できる。
【００１８】
さらにまた、本発明が、光像出現手段が光の拡散フィルム１３で例示される拡散手段である場合、点状の光源を、図１１に示すように光像１４を円形状、楕円形状のように所定の分布形状に拡散（円形拡散、楕円拡散）するものや、一文字方向、十文字方向のように所定の方向に拡散するものを採用することができ、このような拡散手段についても、通常知られた光拡散フイルムや光拡散板を採用することができる。そしてこのような拡散手段についても、光源からの距離が長いほど拡散範囲が広くなり、この場合に、図１２に示すように、前記各実施の形態の回折格子フィルム１０に換えて拡散フィルム１３を設けることでそのまま実施することができる。
【００１９】
さらにまた、本発明は、光像出現手段を、光の回折手段と拡散手段との両者を組み合わせて実施することができる。具体的には、図１３に示すように、回折格子フィルム１０と拡散フィルム１３とを積層しても実施することができ、このようにしたものでは、回折格子された光像がさらに拡散された状態となって出現しすることになって、より一層の表示効果を発揮することができる。
【００２０】
さらにまた、前記光の拡散手段と拡散手段とを組み合わせる場合に、図１４に示すように、回折格子フィルム１０と拡散フィルム１３とを離間する状態で積層しても良く、また図１５に示すように、拡散フィルム１３を半円筒状に変形させても実施することができ、このようにしたときには、立体感のある光像を出現できることになってより一層の表示効果を発揮することができる。
【図面の簡単な説明】
【００２１】
【図１】表示装置の正面図である。
【図２】表示装置の部分縦断面図である。
【図３】表示装置の部分横断面図である。
【図４】隣接ダイオードの第一の配置状態を示す展開図である。
【図５】隣接ダイオードの第二の配置状態を示す展開図である。
【図６】隣接ダイオードの第三の配置状態を示す展開図である。
【図７】隣接ダイオードの第四の配置状態を示す展開図である。
【図８】隣接ダイオードの第五の配置状態を示す展開図である。
【図９】他の実施の形態の表示装置の部分縦断面図である。
【図１０】さらに他の実施の形態の表示装置の部分縦断面図である。
【図１１】光拡散フィルムの拡散状態を示す正面図である。
【図１２】光拡散フィルムを用いた表示装置の部分縦断面図である。
【図１３】回折格子フィルムと光拡散フィルムとを用いた表示装置の部分縦断面図である。
【図１４】回折格子フィルムと拡散フィルムとを離間する状態で積層した表示装置の部分縦断面図である。
【図１５】回折格子フィルムと拡散フィルムとを、光拡散フィルムを半円筒形状にした表示装置の部分縦断面図である。
【符号の説明】
【００２２】
１    表示装置
２    データ表示部
３    装飾表示部
５    発光ダイオード
５ａ  光源
５ｂ  光源像
８    基板
９    反射板
１０    回折格子フィルム
Ｙ    光軸
１３    光拡散フィルム
【図１】
2005084153.tif 000003
【図２】
2005084153.tif 000004
【図３】
2005084153.tif 000005
【図４】
2005084153.tif 000006
【図５】
2005084153.tif 000007
【図６】
2005084153.tif 000008
【図７】
2005084153.tif 000009
【図８】
2005084153.tif 000010
【図９】
2005084153.tif 000011
【図１０】
2005084153.tif 000012
【図１１】
2005084153.tif 000013
【図１２】
2005084153.tif 000014
【図１３】
2005084153.tif 000015
【図１４】
2005084153.tif 000016
【図１５】
2005084153.tif 000017